(57)【要約】【課題】ビット保持部にて保持するビットの長さ制限を受けにくくし、またビットのはみ出しを極力抑えることが可能な電動工具を提供する。【解決手段】ビット保持部２１は、電池パック装着部１６の左側面１６ａに一体に設けられ、ビット保持部２１に保持されるビット１９は、ビット１９の長手方向が前後方向に長い電池パック装着部１６のその長手方向（電動工具本体１１の前後方向）に向くように保持される。【選択図】図１
2016049599.tif 000002
【特許請求の範囲】
【請求項１】
モータと、前記モータの回転動力を所望出力に変換して出力軸に伝達する駆動部と、前記出力軸の先端にビットを装着するビット装着部とを有する電動工具本体に対し、前記電動工具本体の把持部を下方に向けた状態においてその把持部の下側に位置する電池パック装着部に前記ビットを保持するビット保持部を有する電動工具であって、
前記ビット保持部は、前記電池パック装着部と一体に設けられ、前後方向に長い前記電動工具本体のその前後方向に沿うように前記ビットを保持する構造を有することを特徴とする電動工具。
【請求項２】
請求項１に記載の電動工具において、
前記ビット保持部は、前記電池パック装着部の外側面から外側に突出したビット保持片を有してなり、前記ビットの長手方向両端部を露出する態様で保持することを特徴とする電動工具。
【請求項３】
請求項２に記載の電動工具において、
前記ビット保持片は、保持する前記ビットよりも外側に突出して緩衝部として機能することを特徴とする電動工具。
【発明の詳細な説明】
【技術分野】
【０００１】
本発明は、電動工具に関するものである。
【背景技術】
【０００２】
従来、手持ち式の電動工具の中には、ドリルビットやドライバービット等の予備のビットを保持するビット保持部が設けられている電動工具がある。例えば特許文献１に示すように、ビット保持部を電動工具の把持部下端から延出した電池パック装着部に設けられているものが知られている。
【先行技術文献】
【特許文献】
【０００３】
【特許文献１】特許第５１２６５９６号公報
【発明の概要】
【発明が解決しようとする課題】
【０００４】
ところで、特許文献１等に開示の電動工具において、把持部下端の電池パック装着部の後面に設けられているビット保持部は、予備のビットの長手方向（軸方向）が電動工具の前後方向（モータの軸線方向）と直交する左右幅方向を向くようにビットを保持する構造をなしている。
【０００５】
そのため、ビット保持部における電動工具の左右幅より長いビットを保持すると、ビットがはみ出てしまい、はみ出した部分が作業者や施工部材等に接触し得ることから、電動工具の取り回しが悪くなることが懸念される。また、ビットが左右からはみ出さないようにするために、ビットの長さが制限を受けることにもなる。
【０００６】
本発明は、上記課題を解決するためになされたものであって、その目的は、ビット保持部にて保持するビットの長さ制限を受けにくくし、またビットのはみ出しを極力抑えることが可能なビット保持構造を有する電動工具を提供することにある。
【課題を解決するための手段】
【０００７】
上記課題を解決する電動工具は、モータと、前記モータの回転動力を所望出力に変換して出力軸に伝達する駆動部と、前記出力軸の先端にビットを装着するビット装着部とを有する電動工具本体に対し、前記電動工具本体の把持部を下方に向けた状態においてその把持部の下側に位置する電池パック装着部に前記ビットを保持するビット保持部を有する電動工具であって、前記ビット保持部は、前記電池パック装着部と一体に設けられ、前後方向に長い前記電動工具本体のその前後方向に沿うように前記ビットを保持する構造を有する。
【発明の効果】
【０００８】
本発明の電動工具によれば、ビット保持部にて保持するビットの長さ制限を受けにくくすることができ、またビットのはみ出しを極力抑えることができる。
【図面の簡単な説明】
【０００９】
【図１】一実施形態における電動工具の側面図である。
【図２】把持部下端に備えられる電池パック装着部及び電池パックの斜視図である。
【図３】ビットを外した状態の電池パック装着部及び電池パックの斜視図である。
【発明を実施するための形態】
【００１０】
以下、電動工具の一実施形態を図面に従って説明する。
図１は、本実施形態の例えばドリルドライバーとして使用される電動工具１０を示す。本実施形態の電動工具１０は、電動工具本体１１と、この電動工具本体１１に対して着脱可能な二次電池を内蔵した電池パック１２とを有している。
【００１１】
電動工具本体１１の外郭をなすハウジング１３は、略円筒状の本体部１４と、この本体部１４の長手方向途中から下方に延びた把持部１５と、把持部１５の下端部に電池パック１２を装着する電池パック装着部１６とを有している。ハウジング１３の内部には、電池パック１２の二次電池によって駆動されるモータ１７ａ等を駆動源とした駆動部１７が配置されている。この駆動部１７は、出力軸１８と駆動連結され、その出力軸１８の先端部で本体部１４の外側に露出されるビット装着部１８ａを回転させる。ビット装着部１８ａには、ドライバービット等のビット１９が着脱可能に装着され、ビット装着部１８ａの回転と共に回転する。なお、本実施形態では、モータ１７ａの軸線Ｌ１方向を電動工具１０の前後方向、把持部１５の略延出方向を上下方向、前後及び上下方向と直交する電動工具１０の幅方向を左右方向として説明する。
【００１２】
電動工具本体１１の把持部１５は、本体部１４の長手方向である前後方向に対して下方向に延びるように形成されている。また、把持部１５の上端には、作業者が電動工具本体１１の運転・停止を指示するためのトリガースイッチ２０が設けられている。
【００１３】
把持部１５の下端には、電池パック装着部１６が設けられている。電池パック装着部１６は前後方向に長い扁平な直方体状をなし、その左側面１６ａにはビット保持部２１が一体に設けられている。
【００１４】
ビット保持部２１は、前側寄りに設けられている第１ビット保持片２２と後側寄りに設けられている２つの第２ビット保持片２３と第３ビット保持片２４とで構成される。後ろ側寄りに設けられている各第２ビット保持片２３は離間して設けられ、その間に第３ビット保持片２４が配置されている。第１〜第３ビット保持片２２〜２４は、上下方向に対をなし、第１ビット保持片２２は第２及び第３ビット保持片２３，２４よりも前後幅が長く形成されている。第２及び第３ビット保持片２３，２４の前後幅は略同一に形成されている。
【００１５】
ここで、図２及び図３に示すように、本実施形態におけるビット１９は例えば片頭プラスドライバータイプである。ビット１９は、長手方向一端側にねじ頭にある溝と嵌合する刃先部１９ａと刃先部１９ａから他端側に向かって断面六角形状に延出する胴部１９ｂが形成されている。また、他端寄りの胴部１９ｂの一部には、胴部１９ｂより径が小さい略円柱状のくびれ部１９ｃが形成されている。ビット保持部２１に保持されるビットとしては、このようなビット１９等を想定している。
【００１６】
第１及び第２ビット保持片２２，２３は前後方向視で略同一形状であり、左側面１６ａから外側に略平行に突出した保持部２２ａ，２３ａを有している。保持部２２ａ，２３ａより先端側の部位には、互いに近接するように屈曲する係止部２２ｂ，２３ｂが形成されている。対をなす保持部２２ａ間、及び保持部２３ａ間のそれぞれの上下方向の間隔は、ビット１９の胴部１９ｂの径（この場合、六角形状における対向面間長さ）と略同等に形成されている。また、係止部２２ｂ間、及び係止部２３ｂ間のそれぞれの上下方向の間隔は、ビット１９の胴部１９ｂの径よりも小さく形成されている。また、係止部２２ｂ，２３ｂより先端側の部位には、上下方向に広がるように延出する延出部２２ｃ，２３ｃが形成されている。
【００１７】
第３ビット保持片２４は、左側面１６ａから外側に向けて一旦互いに近接した後に略平行に突出した保持部２４ａを有している。対をなす保持部２４ａ間の上下方向の間隔は、くびれ部１９ｃの径と略同等に形成されている。つまり、保持部２４ａ間の間隔は、保持部２２ａ間（保持部２３ａ間）の間隔よりも小さくなるように設定されている。また、保持部２４ａより先端側の部位には、上下方向に広がるように延出する延出部２４ｂが形成されている。
【００１８】
そして、このようなビット保持部２１に対するビット１９の装着に際し、図３に示すように、ビット１９は、第１〜第３ビット保持片２２〜２４の延出部２２ｃ，２３ｃ，２４ｂから奥側に押し込まれる。その際、延出部２２ｃ，２３ｃ，２４ｂが案内部として機能し、ビット１９の押し込みに伴って第１〜第３ビット保持片２２〜２４が押し広げられ、ビット１９は係止部２２ｂ，２３ｂを乗り越えて保持部２２ａ〜２４ａ内に入り込む。これにより、ビット１９の刃先部１９ａ側の胴部１９ｂが第１ビット保持片２２に、くびれ部１９ｃ前後の胴部１９ｂは各第２ビット保持片２３に、くびれ部１９ｃは第３ビット保持片２４によって保持される。
【００１９】
つまり、ビット１９は、ビット保持部２１によって、ビット１９の長手方向（軸方向）が前後方向に長い電池パック装着部１６のその長手方向に沿って保持される。この方向は、モータ１７ａの軸線Ｌ１方向であり、前後方向に長い電動工具本体１１の前後方向でもある。また、装着されたビット１９の長手方向両端部は、第１及び第２ビット保持片２２，２３から露出する態様をなしている。そのため、ビット１９の長さが長いものであっても、許容可能となっている。
【００２０】
これらのことによって、ビット保持部２１にて保持されるビット１９等は、長さ制限を受けにくくなり、ビット１９等のはみ出しが生じにくい構造となっている。
また、第１〜第３ビット保持片２２〜２４によりビット１９の保持に加え、第３ビット保持片２４の保持部２４ａがビット１９のくびれ部１９ｃを保持することで、ビット１９の前後方向の移動が規制され、ビット１９はより確実に保持される。また、第１及び第２ビット保持片２２，２３の延出部２２ｃ，２３ｃは、ビット保持部２１に保持されるビット１９よりも外側に突出していることから、ビット１９の直接的な接触が防止される緩衝部としても機能する。
【００２１】
次に、本実施形態の効果を記載する。
（１）ビット保持部２１は、電池パック装着部１６の左側面１６ａに一体に設けられ、ビット保持部２１に保持されるビット１９は、ビット１９の長手方向が前後方向に長い電池パック装着部１６のその長手方向に向くように保持される。この方向は、電動工具本体１１の前後方向でもある。これにより、ビット保持部２１にて保持される予備のビット１９等は、電池パック装着部１６からはみ出しが生じにくい構造となっているので、予備のビット１９等を保持しても電動工具１０の取り回しに与える影響は小さく抑えられる。また、保持するビット１９の長さ制限も受けにくい。
【００２２】
（２）ビット保持部２１は、電池パック装着部１６の左側面１６ａから突出した第１〜第３ビット保持片２２〜２４を有してなり、ビット１９の長手方向両端部を露出する態様でビット１９を保持する。このことでもビット保持部２１に保持されるビット１９の長さ制限が受けにくくなり、長いビットを保持することができる。
【００２３】
（３）第１及び第２ビット保持片２２，２３が有する延出部２２ｃ，２３ｃは、ビット保持部２１に保持されるビット１９よりも外側に突出していることから、ビット１９の直接的な接触が防止される緩衝部としても機能する。これによりビット保持部２１に保持されるビット１９が作業者や施工部材に接触することを防止することができる。
【００２４】
なお、上記実施形態は、以下のように変更してもよい。
・上記実施形態では、ビット保持部２１は片頭プラスドライバータイプのビット１９を保持する構造を有していたが、これに限ることなく、例えば保持するビットは両頭ドライバータイプのビット、またはくびれ部１９ｃを有さないビット１９等でもよい。この場合、ビットのタイプによって適宜、ビット保持部の構造を変更する。
【００２５】
・上記実施形態では、ビット保持部２１を電池パック装着部１６の左側面１６ａのみに設けていたが、これに限ることなく、右側面に設けてもよく、また左側面と右側面の両方に設けてもよい。
【００２６】
・上記実施形態では、ドリルドライバーよりなる電動工具１０に適用したが、その他の手持ち電動工具に適用してもよい。
次に、上記実施形態及び別例から把握できる技術的思想を以下に追記する。
【００２７】
（付記１）  モータと、前記モータの回転動力を所望出力に変換して出力軸に伝達する駆動部と、前記出力軸の先端にビットを装着するビット装着部とを有する電動工具本体に対し、前記電動工具本体の把持部を下方に向けた状態においてその把持部の下側に位置する電池パック装着部に前記ビットを保持するビット保持部を有する電動工具であって、
前記ビット保持部は、前記電池パック装着部と一体に設けられ、前後方向に長い前記電動工具本体のその前後方向に沿うように前記ビットを保持する構造を有することを特徴とする電動工具。
【００２８】
（付記２）  付記１に記載の電動工具において、
前記ビット保持部は、前記電池パック装着部の外側面から外側に突出したビット保持片を有してなり、前記ビットの長手方向両端部を露出する態様で保持することを特徴とする電動工具。
【００２９】
（付記３）  付記２に記載の電動工具において、
前記ビット保持片は、保持する前記ビットよりも外側に突出して緩衝部として機能することを特徴とする電動工具。
【符号の説明】
【００３０】
１１…電動工具本体、１５…把持部、１６…電池パック装着部、１７…駆動部、１７ａ…モータ、１８…出力軸、１８ａ…ビット装着部、１９…ビット、２１…ビット保持部、２２〜２４…第１〜第３ビット保持片（ビット保持片）、２２ｃ，２３ｃ…延出部（緩衝部）、Ｌ１…軸線。
【図１】
2016049599.tif 000003
【図２】
2016049599.tif 000004
【図３】
2016049599.tif 000005